(57)【要約】      （修正有）【課題】軽量且つコンパクトな構造で容易に収納持ち運びができるとともに、被介護者の腰を簡単に持ち上げることが可能なおむつ交換補助具を提供する。【解決手段】おむつ交換補助具において、平坦位置に載置される方形プレート体１０と、方形プレート体１０の一辺側に装着され、方形プレート体１０に対して直角に近い鋭角となる立設状態と、方形プレート体１０の下に格納される収納状態との間で回動することで、方形プレート体１０の一辺側を前記平坦位置から浮かせた状態で維持可能とする回動片２０と、被介護者の身体に対して固定可能とするため方形プレート体１０に設けた身体固定手段４０とを備える。【選択図】図９
0003193411.tif 000002
【実用新案登録請求の範囲】
【請求項１】
平坦位置に載置される方形プレート体と、
該方形プレート体の一辺側に装着され、前記方形プレート体の一辺側を前記平坦位置から浮かせた状態で維持可能とする回動片と、
被介護者の身体に対して固定可能とするため前記方形プレート体に設けた身体固定手段と
を備えたことを特徴とするおむつ交換補助具。
【請求項２】
前記回動片は、前記方形プレート体に対して直角に近い鋭角となる立設状態と、前記方形プレート体の下に格納される収納状態との間で回動する請求項１に記載のおむつ交換補助具。
【請求項３】
前記方形プレート体の一辺側に、前記回動片が立設状態で当接する当接面を設けた請求項２に記載のおむつ交換補助具。
【請求項４】
前記回動片の立設状態は、前記平坦位置の水平面に対して回動片が直交する状態である請求項３に記載のおむつ交換補助具。
【請求項５】
前記回動片の立設状態時の高さは、８〜１２ｃｍである請求項２に記載のおむつ交換補助具。
【請求項６】
前記回動片の立設状態において、前記方形プレート体に対して回動片がなす鋭角は、６５〜７５度である請求項５に記載のおむつ交換補助具。
【請求項７】
前記身体固定手段は、前記方形プレートの両側にそれぞれ設けたベルト対と、各ベルトの先端側に設けたベルト固定手段で構成する請求項１に記載のおむつ交換補助具。
【請求項８】
前記ベルト固定手段を面ファスナーで形成した請求項７に記載のおむつ交換補助具。
【請求項９】
前記回動片は、両端に設けた軸部により前記方形プレート体に対して軸着され、前記軸部に前記回動片を立設状態側に付勢する付勢手段を設けた請求項２に記載のおむつ交換補助具。
【請求項１０】
前記付勢手段は、ねじりばねで形成した請求項９に記載のおむつ交換補助具。
【請求項１１】
前記回動片が前記当接面に接触した立設状態において、自重で可動して先端が前記回動片を支持して前記立設状態を維持する係止片を方形プレート体の下面側に装着した請求項３に記載のおむつ交換補助具。
【請求項１２】
平坦位置に載置される長方形状シート体と、
前記長方形状シート体に対して一端側下面が固定されるとともに、他端が持ち上げ可能に折曲するために上面側に設けた溝部を有する方形プレート体と、
該方形プレート体の前記他端側下面に設けた連結部に両端が軸着され、前記方形プレート体に対して直角に近い鋭角となり前記平坦位置の水平面に対して直交する立設状態と、前記方形プレート体の下に格納される収納状態との間で回動する回動片と、
被介護者の身体に対して固定可能とするため前記方形プレート体に設けた身体固定手段と
を備えたことを特徴とするおむつ交換補助具。
【請求項１３】
一対の棒状体の先端側に布部を架設し、前記被介護者の腰下に前記布部が載置される担架状部材と、
前記担架状部材の一対の棒状体に対して支点となる支点部材を
更に備えた請求項１に記載のおむつ交換補助具。
【請求項１４】
前記支点部材の上面を湾曲面とした請求項１３に記載のおむつ交換補助具。
【考案の詳細な説明】
【技術分野】
【０００１】
本考案は、介護を必要とする被介護者の腰部を持ち上げ、おむつを交換する際に使用するおむつ交換補助具に関する。
【背景技術】
【０００２】
従来、病人や老人等の介護を必要とする被介護者の排便や排尿後のおむつ交換を行う場合、介護者が被介護者を横向けにしておむつの脱着作業を行っていた。すなわち、被介護者を横向けにし、被介護者におむつを横から被せ、下側部分を丸めて被介護者の下側に押し込み、その後、左右逆に寝かして同様の作業を行うことで被介護者に対しておむつの装着を行う。
この手順であると、おむつを被介護者の真ん中に装着することが困難となり、おむつをしているのに、脇から尿漏れを起こし易いという課題があった。
【０００３】
その一方、被介護者を仰向けに寝かした状態でおむつ交換の作業を行うことは、被介護者の腰が重く、介護者一人では簡単に腰を浮かせられないので、特に非力な女性が一人で作業を行うことができないという課題があった。また、被介護者の腰を浮かせてその姿勢を維持することは、更に困難な作業であった。
【０００４】
被介護者のおむつ交換の作業負荷を軽減するためのおむつ交換補助具としては、例えば、仰向け状態における被介護者の膝後ろ部に配置される脚保持部と、脚保持部に取付けられ脚を斜め上方に引き上げる牽引具と、牽引具を牽引状態で支持する支持スタンドを備えた構造が提案されている（特許文献１参照）。
また、コ字状の本体フレームと、被介護者の膝裏部分に回動自在に配設される一対の脚保持体と、本体フレームに伸縮自在に延設される伸縮棒とを備えることにより、伸縮棒を力点として本体フレームを上方へ回動させることにより、被介護者の脚部を上方に釣り上げる構成のおむつ交換補助具が開示されている（特許文献２参照）。
簡単な構成で軽量なおむつ交換補助具としては、Ｕ字型の形状で相対向する直杆部と、直杆部に対してそれぞれ立設した支柱杆と、各支柱杆の外側に延設する脚置台とを備えた構造が提案されている（特許文献３参照）。
【先行技術文献】
【特許文献】
【０００５】
【特許文献１】特開平５−１６８６５７号公報
【特許文献２】特開２００１−２９３７６号公報
【特許文献３】登録実用新案第３１０５２０３号公報
【考案の開示】
【考案が解決しようとする課題】
【０００６】
しかしながら、上述した各構造のおむつ交換補助具によれば、それぞれ以下のような課題を有していた。
すなわち、特許文献１の構造によれば、フレーム本体をベッドの頭部側に設置することが前提となっており、畳上に敷いた布団での介護に適さない。
特許文献２の構造によれば、伸縮棒を力点として本体フレームを上方へ回動させることにより、被介護者の脚部を上方に釣り上げる構成であるので（特許文献２の図１１〜図１４参照）、被介護者の腹部付近から足先以上のフレーム本体の長さが必要となり大型化する。
特許文献３の構造によれば、持ち運びできるコンパクトな構造ではあるが、仰向けの被介護者の臀部両側近傍まで直杆部を差し込んだ後、被介護者の脚部を１脚ずつ、又は両足同時に持ち上げる必要があり、その作業における介護者の労力軽減を達成できない。
【０００７】
本考案は上記事情に鑑みて提案されたもので、軽量且つコンパクトな構造で容易に収納持ち運びができるとともに、被介護者の腰を簡単に持ち上げることが可能なおむつ交換補助具を提供することを目的としている。
【課題を解決するための手段】
【０００８】
上記目的を達成するため本考案の請求項１に係るおむつ交換補助具は、平坦位置に載置される方形プレート体（１０）と、該方形プレート体の一辺側に装着され、前記方形プレート体の一辺側を前記平坦位置から浮かせた状態で維持可能とする回動片（２０）と、被介護者の身体に対して固定可能とするため前記方形プレート体に設けた身体固定手段（４０）とを備えたことを特徴としている。
【０００９】
請求項２は、請求項１のおむつ交換補助具において、前記回動片（２０）は、前記方形プレート体（１０）に対して直角に近い鋭角となる立設状態と、前記方形プレート体の下に格納される収納状態との間で回動することを特徴としている。
【００１０】
請求項３は、請求項２のおむつ交換補助具において、前記方形プレート体（１０）の一辺側に、前記回動片（２０）が立設状態で当接する当接面（１４）を設けたことを特徴としている。
【００１１】
請求項４は、請求項３のおむつ交換補助具において、前記回動片（２０）の立設状態は、前記平坦位置の水平面に対して回動片（２０）が直交する状態であることを特徴としている。
【００１２】
請求項５は、請求項２のおむつ交換補助具において、前記回動片（２０）の立設状態時の高さは、８〜１２ｃｍであることを特徴としている。
【００１３】
請求項６は、請求項５のおむつ交換補助具において、前記回動片（２０）の立設状態において、前記方形プレート体（１０）に対して回動片（２０）がなす鋭角は、６５〜７５度であることを特徴としている。
【００１４】
請求項７は、請求項１のおむつ交換補助具において、前記身体固定手段（４０）は、前記方形プレートの両側にそれぞれ設けたベルト対と、各ベルト（４１）の先端側に設けたベルト固定手段（４２）で構成することを特徴としている。
【００１５】
請求項８は、請求項７のおむつ交換補助具において、前記ベルト固定手段（４２）を面ファスナーで形成したことを特徴としている。
【００１６】
請求項９は、請求項２のおむつ交換補助具において、前記回動片（２０）は、両端に設けた軸部（２１）により前記方形プレート体（１０）に対して軸着され、前記軸部（２１）に前記回動片（２０）を立設状態側に付勢する付勢手段（３０）を設けたことを特徴としている。
【００１７】
請求項１０は、請求項９のおむつ交換補助具において、前記付勢手段（３０）は、ねじりばねで形成したことを特徴としている。
【００１８】
請求項１１は、請求項３のおむつ交換補助具において、前記回動片（２０）が前記当接面（１４）に接触した立設状態において、自重で可動して先端（１５ａ）が前記回動片（２０）を支持して前記立設状態を維持する係止片（１５）を方形プレート体（１０）の下面側に装着したことを特徴としている。
【００１９】
請求項１２は、平坦位置に載置される長方形状シート体（２）と、
前記長方形状シート体（２）に対して一端側下面が固定されるとともに、他端が持ち上げ可能に折曲するために上面側に設けた溝部（１１）を有する方形プレート体（１０）と、
該方形プレート体（１０）の前記他端側下面に設けた連結部（１２）に両端が軸着され、前記方形プレート体（１０）に対して直角に近い鋭角となり前記平坦位置の水平面に対して直交する立設状態と、前記方形プレート体（１０）の下に格納される収納状態との間で回動する回動片（２０）と、
被介護者の身体に対して固定可能とするため前記方形プレート体（１０）に設けた身体固定手段（４０）と
を備えたことを特徴としている。
【００２０】
請求項１３は、請求項１のおむつ交換補助具において、一対の棒状体（５１）の先端側に布部（５２）を架設し、前記被介護者の腰下に前記布部が載置される担架状部材（５０）と、前記担架状部材の一対の棒状体に対して支点となる支点部材（６０）を更に備えたことを特徴としている。
【００２１】
請求項１４は、請求項１３のおむつ交換補助具において、前記支点部材（６０）の上面を湾曲面（６１）としたことを特徴としている。
【考案の効果】
【００２２】
本考案の請求項１に係るおむつ交換補助具によれば、被介護者の腰下に方形プレート体（１０）を載置した状態で、被介護者が瞬間的に腰を上げさえすれば、回動片（２０）の回動動作により方形プレート体（１０）の一辺側を平坦位置から浮かせた状態で維持することができる。
また、身体固定手段（４０）を備えることで、被介護者の動きに対して方形プレート体（１０）を追従させることができる。
【００２３】
請求項２によれば、回動片（２０）が方形プレート体（１０）に対して直角に近い鋭角となる立設状態となることで、方形プレート体（１０）の一辺側を平坦位置から浮かせた状態で維持することができる。
また、回動片（２０）が方形プレート体（１０）の下に格納される収納状態となることで、方形プレート体（１０）を平坦位置に載置させることができる。
【００２４】
請求項３によれば、方形プレート体（１０）の一辺側に当接面（１４）を設けたことで、回動片（２０）の回動を立設状態で確実に停止させることができる。
【００２５】
請求項４によれば、回動片（２０）が水平面に対して直交することで、方形プレート体（１０）上に被介護者の腰部が載置された場合であっても、回動片（２０）に沿った鉛直方向に力が作用し、回動片（２０）の立設状態を安定して維持することができる。
【００２６】
請求項５によれば、回動片（２０）の立設状態時の高さを８〜１２ｃｍとすることで、被介護者のおむつ交換に適した作業し易い高さとすることができる。
【００２７】
請求項６によれば、方形プレート体（１０）に対する回動片（２０）のなす鋭角を６５〜７５度とすることで、被介護者のおむつ交換に適した作業し易い傾斜とすることができる。
【００２８】
請求項７によれば、身体固定手段（４０）をベルト（４１）対とベルト固定手段（４２）で構成することにより、方形プレート体（１０）に対して、被介護者の身体を確実に固定することができる。
【００２９】
請求項８によれば、ベルト固定手段（４２）を面ファスナーで形成することで、ベルト同士を容易に固定することができる。
【００３０】
請求項９によれば、方形プレート体（１０）に対して回動片（２０）を立設状態側に付勢する付勢手段（３０）を備えることで、回動片（２０）を確実に立設状態とすることができる。
【００３１】
請求項１０によれば、ねじりばねを使用することで回動片（２０）の付勢に適した弾性力を有する付勢手段（３０）を容易に作成することができる。
【００３２】
請求項１１によれば、係止片（１５）が自重で可動してその先端（１５ａ）が回動片（２０）を支持することで、回動片（２０）の立設状態を維持することができる。
【００３３】
請求項１２によれば、方形プレート体（１０）を長方形状シート体（２）に固定することで、被介護者が長方形状シート体（２）上に仰向けに寝た場合、長方形状シート体（２）にかかる被介護者の体重により方形プレート体（１０）の位置を安定させることができる。
また、方形プレート体（１０）に溝部（１１）を設けることで、一端側下面が長方形状シート体（２）に固定された方形プレート体（１０）の他端を持ち上げ可能に折曲させることができる。
【００３４】
請求項１３によれば、被介護者のお尻下に担架状部材（５０）の布部（５２）を敷き、支点部材（６０）を支点として両方の棒状体（５１）を押し下げることで、てこの原理で被介護者のお尻及び腰部を持ち上げることを契機とした回動片（２０）の回動動作により、方形プレート体（１０）の一辺側を平坦位置から浮かせた状態で維持することができる。
【００３５】
請求項１４によれば、支点部材（６０）の上面を湾曲面（６１）とすることで、担架状部材（５０）の一対の棒状体（５１）に対して、安定した支点とすることができる。
【図面の簡単な説明】
【００３６】
【図１】本考案の一実施形態を示すおむつ交換補助具の平面説明図である。
【図２】おむつ交換補助具の方形プレート体（収納状態）の斜視説明図である。
【図３】おむつ交換補助具の方形プレート体（収納状態）の正面側断面説明図である。
【図４】おむつ交換補助具の方形プレート体（収納状態）の側面説明図である。
【図５】おむつ交換補助具の方形プレート体（立設状態）の側面説明図である。
【図６】おむつ交換補助具の方形プレート体（立設状態）の一部拡大側面説明図である。
【図７】付勢手段を備えたおむつ交換補助具の方形プレート体（立設状態）の正面側一部断面説明図である。
【図８】付勢手段を備えたおむつ交換補助具の方形プレート体（立設状態）の側面側一部断面説明図である。
【図９】（ａ）（ｂ）は、図１のおむつ交換補助具の使用例を示す説明図である。
【図１０】他の実施形態のおむつ交換補助具で使用する担架状部材及び直方体の説明図である。
【図１１】直方体の斜視説明図である。
【考案を実施するための形態】
【００３７】
本考案のおむつ交換補助具の実施形態の一例について、図面を参照しながら説明する。
おむつ交換補助具１は、図１に示すように、長方形状シート体２と、長方形状シート体２に一側辺が固定された方形プレート体１０と、方形プレート体１０に装着された身体固定手段４０を備えて構成されている。
【００３８】
長方形状シート体２は、被介護者の肩幅を超える幅間隔を有し、被介護者の肩下から膝を立てた状態の足先付近までの縦長を有し、畳、ベッド、敷き布団上の平坦位置に敷くようになっている。この長方形状シート体２の端部に、長方形状シート体２の長手方向に長い方形状の方形プレート体１０の一辺側の下面（固定面）が固定されている。
【００３９】
方形プレート体１０は、例えば、合成樹脂素材などで構成され、図２に示すように、長方形状シート体２との固定面の境界付近の上面側には、楔型凹部となる溝部１１が形成されている。方形プレート体１０は、溝部１１の存在により、図３に示すように、溝部１１に対して固定面と反対側の方形プレート体１０部分が折曲し、長方形状シート体２に対して持ち上げ可能なようになっている。
【００４０】
方形プレート体１０の長方形状シート固定側と反対側には、方形プレート体１０に対して自重で回動する方形状の回動片２０が装着されている。回動片２０は、方形プレート体１０の端部両側に下面に突出して形成された連結部１２に対して、図５に示すように、回動片２０の両端に形成された軸部２１，２１が、連結部１２の壁に穿孔された孔部１３に挿入されることにより、方形プレート体１０に対して軸着されることで自重により回動可能に形成されている。
すなわち、回動片２０は、方形プレート体１０の一辺側を平坦位置から浮かせた状態で維持可能とする部材であり、方形プレート体１０に対して直角に近い鋭角（７０度程度）となる立設状態（図３）と、方形プレート体１０の下に格納される収納状態（図４）との間で回動するよう構成されている。
方形プレート体１０は、図４に示すように、回動片２０が方形プレート体１０の下に格納される収納状態で平坦位置に載置可能となる。
【００４１】
連結部１２の内壁面には、図６に示すように、回動片２０が鉛直線Ｙ（水平線Ｘに対して直交）に沿った状態（立設状態）で回動が静止するように、下方に従って断面が厚くなるように傾斜させた当接面１４が形成されている。
すなわち、方形プレート体１０の回動片２０装着側を持ち上げた場合、回動片２０は自重により連結部１２の孔部１３に挿入された軸部２１を軸として回動し、当接部１４に当接して回動が停止し、その状態（立設状態）が維持される。
なお、当接面１４は、連結部１２の内壁全体に形成してもよいが、内壁に間隔をおいて配置したり、複数の停止片を形成することで、当接箇所（複数の当接面）を設けるようにしてもよい。
【００４２】
また、方形プレート体１０の下面側に、回動片２０が自重で回動して当接面１４に接触した際に、この位置を維持する棒状の係止片１５を設けるようにしてもよい。係止片１５は、収納時には方形プレート体１０の下面に形成された溝１６に嵌合され、図６に示すように、回動片２０の回動にしたがい支点１７を中心として自重で落下し、回動片２０が当接面１４に接触した状態で、係止片１５の先端１５ａが回動片２０を支持するように形成されている。
【００４３】
回動片２０の立設状態は、図３に示すように、平坦面（長方形状シート体２が載置される水平面）と回動片２０とのなす角βが９０度となることにより、回動片２０が鉛直線に沿った状態である。この時、回動片２０と方形プレート体１０とのなす角α（方形プレート体１０に対して回動片２０がなす鋭角）は、被介護者のおむつ交換に適した作業し易い傾斜とするため、６５〜７５度であることが好ましい。また、同様の理由により、回動片２０の長さを８〜１２ｃｍとすることで、回動片２０の立設状態時の高さが８〜１２ｃｍ程度となることが好ましい。
【００４４】
上述の例では、方形プレート体１０に対して回動片２０が自重で回動することで立設状態となるように構成したが、回動片２０を立設状態側に付勢する付勢手段を設けた構造としてもよい。
例えば、図７及び図８（それぞれ回動片２０の立設状態を示している）に示すように、回動片２０の側面に設けた円柱状の突起部２２と、連結部１２の側面内壁に設けた円柱状の突起部１８の間に、ねじりばね（付勢手段）３０の先端側の各線状部３２が各突起部を押圧する状態で装着されることで、回動片２０の収納状態（図８で回動片２０及びねじりばね３０が点線状態）では、常時、回動片２０を立設状態側に付勢することになる。
【００４５】
ねじりばね３０は、巻回されたスプリング部３１と、スプリング部３１の両端から直線状に延長される線状部３２，３２から構成され、スプリング部３１内に回動片２０の軸部２１を挿入し、各線状部３２，３２が各突起部２２，１８を押圧するように装着される。図８の点線状態のように突起部同士が近づく収納状態では、線状部３２同士を開く方向（各線状部を離す方向）に力が作用するので、回動片２０を立設状態側に付勢することとなる。
したがって、収納状態で方形プレート体１０が持ち上げられると、回動片２０に重力が作用するとともに、ねじりばね３０の弾性力で回動片２０の突起部２２を押すので、回動片２０を素早く且つ確実に立設状態とすることができる。
【００４６】
また、ねじりばね３０は、ばね径やスプリング部３１における巻回数により弾性力を調整できるので、回動片２０を立設状態側に付勢するに適した弾性力を有する付勢手段を容易に得ることができる。
【００４７】
また、回動片２０の両側面に、支点２３により回動自在に軸着されたフック２４を設け、フック２４の先端部が方形プレート体１０に形成したピン１９に引っ掛けることで、方形プレート体１０に対して回動片２０を固定して、回動片２０の収納状態を維持する回動片固定手段を形成してもよい。
この回動片固定手段で回動片２０を方形プレート体１０に固定することで、おむつ交換補助具の移動時に回動片２０が自重により動くことを防止できるので、持ち運び易くすることができる。
【００４８】
特に、図７及び図８で説明した方形プレート体１０と回動片２０にねじりばね（付勢手段）３０を装着した場合において、収納状態を維持させるために有効である。
また、回動片固定手段は、ピン１９、支点２３、フック２４から構成されるものの他、種々の構造が考えられる。例えば、方形プレート体１０に対して、回動片２０側に形成した突起などの一部が嵌合することで収納状態を維持するようにしてもよい。この場合、おむつ交換補助具の使用時において、予め嵌合状態を手動で解除しておく。
【００４９】
身体固定手段４０は、被介護者の身体に対して方形プレート体１０を固定可能とするもので、方形プレート体１０の両側にそれぞれ設けたベルト４１対と、各ベルト４１，４１の先端側に設けたベルト固定手段４２から構成されている。ベルト固定手段４２は面ファスナーで形成されている。この面ファスナーは、フック状に起毛された側の面ファスナー４２ａと、ループ状に密集して起毛された側の面ファスナー４２ｂから構成され、両者を押し付けることで貼り付くようになっており、貼り付けたり剥がしたりすることが自在にできるようになっている。
【００５０】
次に、上述した構造のおむつ交換補助具の使用する場合の手順について、図９を参照して説明する。
おむつ交換補助具１が、ピン１９、支点２３、フック２４から構成される回動片固定手段を備え、回動片２０の収納状態が維持されている場合には、ピン１９からフック２４を外すことで、方形プレート体１０に対して回動片２０が回動可能な状態にしておく。
【００５１】
ベッドや布団上で仰向けに寝ている被介護者を横向きにし、方形プレート体１０が固定された長方形状シート体２を仰向けに寝ていた場所に設置し、その上に被介護者を仰向けに戻す。この時、被介護者の腰部下に方形プレート１０の回動片２０側が位置するようにし、腹部上でベルト４１の面ファスナー４２ａと面ファスナー４２ｂを突き合わせて押しつけ、被介護者の身体に対して方形プレート体１０を固定する。
この状態（おむつ交換補助具１上に被介護者が仰向けに寝ている状態）では、方形プレート体１０上に被介護者の腰部が載置され、被介護者の重さにより、回動片２０が方形プレート体１０の下に格納される収納状態（図４の状態）となる。
【００５２】
次に、図９（ａ）に示すように、被介護者の両足を立てさせ、被介護者に自身で腰を浮かすことを指示し、一瞬でも被介護者が自分自身で腰を浮かすことが出来れば、身体とともに方形プレート１０が浮き上がり、図９（ｂ）に示すように、自重又は付勢手段の付勢力で回動片２０が方形プレート体１０に対して直角に近い鋭角で静止する立設状態となる。
【００５３】
回動片２０は、図３及び図６に示すように、平坦面に対して直交する鉛直線に沿って固定されるので、方形プレート１０上に被介護者の腰部が載置された場合でも安定し、回動片２０の立設状態が維持される。
そして、回動片２０の立設状態が維持できるので、介護者は、被介護者の腰を浮かせた状態でおむつ交換や着衣の着脱の作業を行うことができる。
【００５４】
図１０は、おむつ交換補助具の実施形態の他例を示すもので、図１の構成に加えて、担架状部材５０と支点部材６０を備えて構成されている。
担架状部材５０は、間隔をおいた一対の棒状体５１の先端側に布部５２を架設して構成され、被介護者のお尻下に布部５２が位置するようにして使用される。支点部材６０は、例えば直方体のプラスチック部材で構成され、図１０の下方に示されるように、担架状部材５０の一対の棒状体５１に対して支点となるように使用される。
また、直方体６０の上面は、各棒状体５１に対して直方体６０の中央を支点として安定させるため、図１１に示すように、長手方向に沿った中央に凸部が連続する湾曲面６１とすることが好ましい。
【００５５】
続いて、担架状部材５０と支点部材６０を使用したおむつ交換補助具の使用手順について説明する。架状部材５０と支点部材６０は、被介護者が一瞬でも自分自身で腰を浮かすことが出来ない場合に使用するものである。
先ず、図９と同様に、ベッドや布団上で仰向けに寝ている被介護者を横向きにし、方形プレート体１０が固定された長方形状シート体２を仰向けに寝ていた場所に設置し、更に、担架状部材５０の布部５２を被介護者のお尻下位置に載置し、棒状体５１の先端部が腰部付近に位置するように設置する。
これらの上に被介護者を仰向けに戻す。この時、被介護者の腰部下に方形プレート１０の回動片２０側が位置するようにし、腹部上でベルト４１の面ファスナー４２ａと面ファスナー４２ｂを突き合わせて押しつけ、被介護者の身体に対して方形プレート体１０を固定する。
【００５６】
次に、被介護者の両足を立てさせ、足と足の間でなるべく腰部に近い場所の棒状体５１，５１の下に支点部材６０を置く。
この状態で棒状体５１，５１を下方向に押すと、図１０下方に示すように、支点部材６０を支点として反対側に位置する布部５２が被介護者のお尻を押し上げることで被介護者の腰部が浮き、それを契機に身体とともに方形プレート１０が浮き上がり、自重で回動片２０が方形プレート体１０に対して直角に近い鋭角で静止する立設状態となる。
【００５７】
図９の場合と同様に、回動片２０は、鉛直線に沿って固定されるので、方形プレート１０上に被介護者の腰部が載置された場合でも安定し、回動片２０の立設状態が維持される。
回動片２０の立設状態が維持できるので、介護者は、被介護者の腰を浮かした状態でおむつ交換や着衣の着脱の作業を行うことができる。
【００５８】
上述した構造のおむつ交換補助具１によれば、被介護者の腰下に方形プレート体１０を載置した状態で、被介護者が瞬間的に腰を上げさえすれば、回動片２０の動作により方形プレート体１０の一辺側が平坦位置から浮かせた状態で維持することができるので、被介護者のおむつ交換時や着衣の着脱時に際して、容易に被介護者の腰を浮かせて作業を行うことが可能となる。
その際、被介護者の身体の一部を吊り下げるようなことがないので、おむつ交換補助具１の部位がお尻や足に接触することがなく、おむつ交換や着衣の着脱等の作業を円滑に行うことができる。
【００５９】
また、長方形状シート体２上に方形プレート体２０の一端を固定することで、被介護者が長方形状シート体２上に仰向けに寝た場合、長方形状シート体２にかかる被介護者の体重により方形プレート体１０の位置を安定させることができる。
なお、おむつ交換補助具１における長方形状シート体２は、必須の部品ではなく、これを省略し回動片２０を備えた方形プレート体１０（溝部１１も不要とすることができる）のみで構成してもよく、その結果、より小型且つ簡易な構造とすることができる。
【００６０】
おむつ交換補助具１の構造によれば、ベッド上、又は、畳上に敷いたふとん上の両方で使用することができる。
また、構成部品が少ない簡単な構造であるため、小型化及び軽量化を図ることができ、年配者や非力な女性の介護者でも容易に持ち運びができるとともに、安価に製造することができる。
【００６１】
また、被介護者が瞬間的に腰を上げることさえできない場合は、被介護者のお尻下に担架状部材５０の布部５２を敷き、支点部材６０を支点として両方の棒状体５１を押し下げることで、被介護者のお尻及び腰部を持ち上げることを契機とした回動片２０の回動動作により回動片２０が立設状態となり、方形プレート体１０の一辺側を平坦位置から浮かせた状態で維持することができる。
その結果、介護者が非力な場合であっても被介護者の腰を浮かせ、その状態を維持できるので、被介護者のおむつ交換時や着衣の着脱時の作業を容易に行うことが可能となる。
【００６２】
上述した例では、方形プレート体１０を合成樹脂で形成したが、被介護者の腰部を載せる場合の強度を確保できる材料であれば良く、例えば硬質段ボールなどを使用してもよい。
【符号の説明】
【００６３】
１…おむつ交換補助具、  ２…長方形状シート体、  １０…方形プレート体、  １１…溝部、  １２…連結部、  １３…孔部、  １４…当接面、  １８…突起部、  ２０…回動片、  ２１…軸部、  ２２…突起部、  ３０…ねじりばね（付勢手段）、  ４０…身体固定手段、  ４１…ベルト、  ４２ａ，４２ｂ…面ファスナー（ベルト固定手段）、  ５０…担架状部材、  ５１…棒状体、  ５２…布部、  ６０…支点部材、  ６１…湾曲面。
【図１】
0003193411.tif 000003
【図２】
0003193411.tif 000004
【図３】
0003193411.tif 000005
【図４】
0003193411.tif 000006
【図５】
0003193411.tif 000007
【図６】
0003193411.tif 000008
【図７】
0003193411.tif 000009
【図８】
0003193411.tif 000010
【図９】
0003193411.tif 000011
【図１０】
0003193411.tif 000012
【図１１】
0003193411.tif 000013